(57)【要約】【課題】人々のストレスを効果的に低減するとともに、ヒートアイランド対策、温暖化防止に貢献する。【解決手段】多孔質の合成樹脂２と、合成樹脂に装着され、合成樹脂の微細孔に連通する管路３と、管路に水を供給し、供給した水を微細孔から流出させるポンプ４とを備える合成樹脂製置物１。ポンプによって管路に供給された水が微粒化する際に、水滴は正に帯電し、周りの空気は負に帯電することで多量のマイナスイオンが生成され、周囲の人々の精神的ストレスを効果的に低下させる。この合成樹脂製置物を屋外に設置すると、微細孔から流出する水は、打ち水と同様の効果を発揮するため、雰囲気温度を低下させ、ヒートアイランド対策に資することもできる。合成樹脂に、トルマリン、マグネシウム及びチベット産赤塩等の還元性物質を担持させ、微細孔から流出する水の還元性を高めることができる。合成樹脂を、廃プラスチックを原料として製造することができる。【選択図】図１
0003140494.tif 000002
【実用新案登録請求の範囲】
【請求項１】
多孔質の合成樹脂と、
該合成樹脂に装着され、該合成樹脂の微細孔に連通する管路と、
該管路に水を供給し、供給した水を前記微細孔から流出させるポンプとを備えることを特徴とする合成樹脂製置物。
【請求項２】
前記合成樹脂は、還元性物質を担持することを特徴とする請求項１に記載の合成樹脂製置物。
【請求項３】
前記還元性物質は、トルマリン、マグネシウム及びチベット産赤塩からなる群から選択される一以上であることを特徴とする請求項２に記載の合成樹脂製置物。
【請求項４】
前記多孔質の合成樹脂は、廃プラスチックを原料として製造されることを特徴とする請求項１、２又は３に記載の合成樹脂製置物。
【考案の詳細な説明】
【技術分野】
【０００１】
本考案は、周囲の人々のストレスを効果的に低減させ、ヒートアイランド対策、温暖化防止にも貢献することのできる合成樹脂製置物に関する。
【背景技術】
【０００２】
近年、都市における人口の過密化、世帯の核家族化及び人間関係の希薄化等に伴い、人々の精神的ストレスは、増加傾向にあり、この精神的ストレスが増加すると、肥満、高血圧及び糖尿病等の生活習慣病や、うつ病を引き起こす虞がある。
【０００３】
一方、近年、東京等の都市部において、ヒートアイランド現象が問題となっている。ヒートアイランド現象とは、都市部の気温がその周辺に比べて異常に高くなる現象であり、これが進むと、気温の上昇により生じた上昇気流による突然の豪雨、落雷等の異常気象を引き起こす。そのため、様々な対策が検討されている。
【考案の開示】
【考案が解決しようとする課題】
【０００４】
そこで、本考案は、上記従来の技術における問題点に鑑みてなされたものであって、人々のストレスを効果的に低減し、ヒートアイランド対策、温暖化防止に貢献することを目的とする。
【課題を解決するための手段】
【０００５】
上記目的を達成するため、本考案は、合成樹脂製置物であって、多孔質の合成樹脂と、該合成樹脂に装着され、該合成樹脂の微細孔に連通する管路と、該管路に水を供給し、供給した水を前記微細孔から流出させるポンプとを備えることを特徴とする。
【０００６】
そして、本考案にかかる合成樹脂製置物によれば、ポンプによって管路に供給された水が合成樹脂の微細孔に流入して微粒化する際に、水滴は正に帯電し、周りの空気は負に帯電する、いわゆるレナード効果により、多量のマイナスイオンが生成されるため、周囲の人々の精神的ストレスを効果的に低下させることができる。また、この合成樹脂製置物を屋外に設置した場合、微細孔から流出する水は、打ち水と同様の効果を発揮するため、雰囲気温度を低下させ、ヒートアイランド対策、温暖化防止に資することもできる。
【０００７】
前記合成樹脂製置物において、前記合成樹脂は、還元性物質を担持することができる。これによって、合成樹脂の微細孔から流出する水の還元性を高めることができる。
【０００８】
前記合成樹脂製置物において、前記還元性物質を、トルマリン、マグネシウム及びチベット産赤塩からなる群から選択される一以上とすることができる。これによって、合成樹脂の微細孔から流出する水をより効率よく還元性にすることができる。
【０００９】
前記合成樹脂製置物において、前記多孔質の合成樹脂を、廃プラスチックを原料として製造することができる。これによって、合成樹脂製置物の製造コストを低減することができるとともに、廃棄物のリサイクルに貢献することができる。
【考案の効果】
【００１０】
以上のように、本考案にかかる合成樹脂製置物によれば、人々のストレスを効果的に低減し、ヒートアイランド対策、温暖化防止に貢献することができる。
【考案を実施するための最良の形態】
【００１１】
図１は、本考案にかかる合成樹脂製置物（以下、適宜「置物」と略称する）の一実施の形態を示し、この置物１は、多孔質の合成樹脂２と、この合成樹脂２に装着され、合成樹脂２の微細孔に連通する管路３と、管路３に水を供給し、供給した水を合成樹脂２の微細孔から流出させるポンプ４とを備え、熱帯魚等を飼育、鑑賞する水槽５の上方に載置される。
【００１２】
合成樹脂２は、ポリプロピレン等からなり、ポリプロピレン等に、トルマリン、マグネシウム及びチベット産赤塩からなる群から選択される一以上の還元性物質を担持させ、さらに水を加えて混練機に投入し、圧力約５０ｋｇ／ｃｍ2、１５０〜２００℃の温度で混練する。すると、トルマリン等の還元性物質がポリプロピレン等に担持されるとともに、樹脂内において水が蒸発することによって気泡が発生する。そして、樹脂の外側から真空を利用して樹脂内に封入された水蒸気を吸引すると、水蒸気が吸引された後に連続気泡が形成され、多孔質の合成樹脂２が得られる。尚、ポリプロピレン等には、廃プラスチックを利用することもできる。
【００１３】
管路３は、合成樹脂又は金属等からなり、一方の端部が合成樹脂２に装着されて合成樹脂２の微細孔に連通する。管路３の他端は、ポンプ４の吐出口に接続される。
【００１４】
ポンプ４は、水槽５内の水を管路３を介して合成樹脂２の微細孔から流出させるために備えられ、合成樹脂２の微細孔から流出した水は、再び水槽５に戻る。
【００１５】
次に、本考案にかかる合成樹脂製置物１の動作について、図１を参照しながら説明する。
【００１６】
水槽５に水を満たし、熱帯魚等を入れて飼育するとともに、水槽５内に配置したポンプ４を駆動し、水槽５内の水を管路３を介して合成樹脂２に供給する。合成樹脂２は、連続気泡を有する多孔質として形成され、管路３と合成樹脂２の微細孔が連通するため、合成樹脂２に供給された水は、合成樹脂２の表面から外部に流出する。管路３から合成樹脂２の微細孔に供給され、水が微粒化する際に、水滴は正に帯電し、周りの空気は負に帯電する際に多量のマイナスイオンが生成されるため、この置物１を通常の置物として使用するだけでなく、置物１の周囲の人々の精神的ストレスを効果的に低下させることができる。
【００１７】
また、合成樹脂２は、トルマリン等を担持しているため、合成樹脂２の微細孔から流出する水の還元性を高めることができ、水槽５内の動植物にとっても好ましい生育環境を提供することができる。また、合成樹脂２を廃プラスチックを原料として製造した場合には、合成樹脂製置物１の製造コストを低減するとともに、廃棄物のリサイクルに貢献することもできる。
【００１８】
尚、上記実施の形態においては、置物１を屋内において、水槽５の上方に設置し、置物１の周囲の人々の精神的ストレスを効果的に低下させることを目的としたが、屋外の庭、公園等に設置し、上記と同様に動作させることにより、置物１の周囲の人々の精神的ストレスを効果的に低下させるとともに、合成樹脂２の微細孔から流出する水に、打ち水と同様の効果を発揮させ、置物１の雰囲気温度を低下させ、ヒートアイランド対策、温暖化防止に資することもできる。
【図面の簡単な説明】
【００１９】
【図１】本考案にかかる合成樹脂製置物の一実施の形態を示す概略図である。
【符号の説明】
【００２０】
１  合成樹脂製置物
２  合成樹脂
３  管路
４  ポンプ
５  水槽
【図１】
0003140494.tif 000003